(57)【要約】【課題】立軸ポンプの据付と分解が容易で、防振とシールが可能となり、設置のためのクレーンも小型となる立軸ポンプとその据付方法を提供する。【解決手段】中間フロア（２４）に据付けた中間ソールプレート（２５）のレベル値を標準値より若干低く設定し、中間揚水管（８）のフランジ部（８ａ）を中間ソールプレート（２５）に仮置きし、揚水管（５）を連結した上部揚水管（４）を上部フロア（２）に支架して、この揚水管（５）とポンプ下部（２７）の中間揚水管（８）に連結した中間軸受支え（６）を螺着して、締付力により中間揚水管（８）のフランジ部（８ａ）を中間フロア（２４）から僅かに浮き上がらせて、中間揚水管（８）の円環部（８ｂ）に嵌着したシールリング（２６）を、中間ソールプレート（２５）の先端内周面に摺接させるもので、中間フロア（２４）を利用したポンプラジアル方向の振動が抑制できる。中間フロア（２４）に仮受けが可能となり、立軸斜流ポンプ（１）の組立てと分解が容易となる。【選択図】      図４
2004324482.tif 000002
【特許請求の範囲】
【請求項１】
羽根車（２０）を止着して長尺に連結した主軸（１２、１３、１４、１５）を、複数段に配設した揚水管（４、５、７、８、９、１１）に内設し、上端部の揚水管（４）を上部フロア（２）に支架してポンプ井戸（Ａ）等に設置する立軸ポンプ（１）において、中間フロア（２４）に据付けた中間ソールプレート（２５）のレベル値を標準値より若干低く設定し、中間ソールプレート（２５）に摺接支持させる中間揚水管（８）のフランジ部（８ａ）を中間フロア（２４）から僅かに浮き上がらせて、立軸ポンプ（１）をポンプ井戸（Ａ）等に設置することを特徴とする立軸ポンプ。
【請求項２】
上記中間揚水管（８）のフランジ部（８ａ）を中間ソールプレート（２５）に仮置きし、揚水管（５）を連結した上部揚水管（４）を上部フロア（２）に支架すると共に、この揚水管（５）にポンプ下部（２７）の中間揚水管（８）に連結した揚水管（７）または中間軸受支え（６）を螺着して、締付力により中間揚水管（８）のフランジ部（８ａ）を中間フロア（２４）から僅かに浮き上がらせて、立軸ポンプ（１）をポンプ井（Ａ）等に設置することを特徴とする請求項１に記載の立軸ポンプ。
【請求項３】
上記中間揚水管（８）のフランジ部（８ａ）に形成した円環部（８ｂ）にシールリング（２６）を嵌着し、中間ソールプレート（２５）の先端内周面にシールリング（２６）を摺接させることを特徴とする請求項２に記載の立軸ポンプ。
【請求項４】
上記中間フロア（２４）に据付ける中間ソールプレート（２５）を二つ割りとしたことを特徴とする請求項１乃至３の何れか１項に記載の立軸ポンプ。
【請求項５】
ポンプ井戸（Ａ）等の中間フロア（２４）に据付けた中間ソールプレート（２５）のレベル値を標準値より若干低く設定し、ポンプ下部（２７）の中間揚水管（８）のフランジ部（８ａ）を中間ソールプレート（２５）に仮置きして、中間揚水管（８）の上端部に揚水管（７）と主軸（１２、１３）及び中間軸受支え（６）を順次組み付けた後、揚水管（５）を連結した上部揚水管（４）を上部フロア（２）に支架すると共に、ポンプ下部（２７）から立設した中間軸受支え（６）と、上部揚水管（４）から垂下した揚水管（５）を螺着し、その締付力によりポンプ下部（２７）の上端部を中間フロア（２４）の中間ソールプレート（２５）から僅かに浮き上がらせて、立軸ポンプ（１）をポンプ井（Ａ）等に設置することを特徴とする立軸ポンプの据付方法。
【発明の詳細な説明】
【０００１】
【発明の属する技術分野】
この発明は、雨水、汚水等の排水用または取水用の立軸ポンプに関し、特に、揚水管の長い立軸ポンプとその据付方法に関する。
【０００２】
【従来の技術】
従来、ポンプ本体として剛性を越える長さの立軸ポンプについては、ポンプの形式を変更するか、あるいは、ポンプ井戸からサポートを取っていた。また、ニ床式排水ポンプ機場の最下段床部に配設したフランジに制振リングと、Ｏリングを嵌合して、制振作用と水密作用を発揮させる揚水管の中間部保持装置も、例えば、特許文献１に記載してあるように公知である。
【０００３】
【特許文献１】
特開２０００−１２０５９７号公報（段落番号００１６乃至段落番号００２０、図１）
【０００４】
【発明が解決しようとする課題】
ポンプ井戸から立軸ポンプのサポートを取った装置にあっては、サポートの上方まで水位が上昇し、浸水の危険があった。また、中間部保持装置を設けた従来装置では、制振作用と水密作用が発揮されるものであるが、中間部保持装置の構造が複雑で、狭い空間でのシールリングなどの消耗品の交換が困難であり、立軸ポンプの設置と取り外しに大型クレーンが必要であった。そして、揚水管の立軸方向の寸法が長いためポンプ井戸への設置が困難であり、非常時の立軸ポンプの地上への引上げも困難であった。この発明は、立軸ポンプの据付と分解が容易で、防振とシールが可能となり、設置のためのクレーンも小型となる立軸ポンプとその据付方法を提供する。
【０００５】
【課題を解決するための手段】
この発明の要旨は、羽根車を止着して長尺に連結した主軸を、複数段に配設した揚水管に内設し、上端部の揚水管を上部フロアに支架してポンプ井戸等に設置する立軸ポンプにおいて、中間フロアに据付けた中間ソールプレートのレベル値を標準値より若干低く設定し、中間ソールプレートに摺接支持させる中間揚水管のフランジ部を中間フロアから僅かに浮き上がらせて、立軸ポンプをポンプ井戸等に設置したもので、ポンプ全荷重、及び運転荷重が中間フロアに掛かることと比較して、ポンプ組立時の荷重しか中間フロアに掛かからないため、スラスト荷重も掛かることがなく、中間フロアの強度が小さくて良い。中間フロアの厚み寸法を押さえることが、建屋のコストダウンとなる。
【０００６】
中間揚水管のフランジ部を中間フロアから僅かに浮き上がらせる手段が、中間揚水管のフランジ部を中間ソールプレートに仮置きし、揚水管を連結した上部揚水管を上部フロアに支架すると共に、この揚水管にポンプ下部の中間揚水管に連結した揚水管または中間軸受支えを螺着して、締付力により中間揚水管のフランジ部を中間フロアから僅かに浮き上がらせて、立軸ポンプをポンプ井等に設置したもので、中間フロアに仮受けが可能なため、立軸ポンプの組立てが容易となり、オーバーホールのための分解も容易となる。立軸ポンプの構成部品を吊上げるクレーンも小型で済むものである。そして、揚水管のフランジ部に形成した円環部にシールリングを嵌着し、中間ソールプレートの先端内周面にシールリングを摺接させるもので、中間フロアを利用したポンプラジアル方向の振動が抑制できる。立軸ポンプの上部軸受が上部フロアにあるため、浸水の危険がなく、メンテナンスが容易となる。また、中間フロアに据付ける中間ソールプレートを二つ割りとすれば、上部フロアの開口からの吊り降ろしが容易となり、重量も軽減されて、中間フロアへの設置が簡単となる。
【０００７】
立軸ポンプの据付方法が、ポンプ井戸等の中間フロアに据付けた中間ソールプレートのレベル値を標準値より若干低く設定し、ポンプ下部の中間揚水管のフランジ部を中間ソールプレートに仮置きして、中間揚水管の上端部に揚水管と主軸及び中間軸受支えを順次組み付けた後、揚水管を連結した上部揚水管を上部フロアに支架すると共に、ポンプ下部から立設した中間軸受支えと、上部揚水管から垂下した揚水管を螺着し、その締付力によりポンプ下部の上端部を中間フロアの中間ソールプレートから僅かに浮き上がらせて、立軸ポンプをポンプ井等に設置するもので、立軸ポンプの設置後に中間フロアに荷重が掛かることがなく、シビアな寸法精度を必要としない。現実に発生するポンプ荷重および運転荷重による中間フロアが撓むことがなく、ポンプ破損の原因となることがない。
【０００８】
【発明の実施の形態】
この発明の実施例を図面に基づき詳述すると、まず、図１は立軸斜流ポンプの縦断面図であって、ポンプ井戸Ａに立軸斜流ポンプ１が設置してある。ポンプ井戸Ａの上部フロア２に上部ソールプレート３が設計値のレベルで据付けてあり、立軸斜流ポンプ１の上部揚水管４が上部ソールプレート３に支架してある。上部揚水管４の下端に、揚水管５、中間軸受支え６、揚水管７、中間揚水管８、揚水管９、下部軸受支え１０、及び下部揚水管１１が順次連結されて、縦軸方向に長い揚水管を形成している。立軸斜流ポンプ１の内部には、複数本の主軸１２、１３、１４と下部主軸１５が複数の中間軸継手１６、１７、１８を介して連結してある。立軸斜流ポンプ１の下部には、吸込ベル１９に配設した羽根車２０が下部主軸１５の下端に止着してある。吸込ベル１９の上部に連結した吐出ボール２１に複数枚の案内羽根２２…が配設してある。上部揚水管４の上端に吐出しエルボ２３が連結してある。なお、ポンプ井戸Ａに設置する立軸斜流ポンプ１は立軸軸流ポンプであってもよいものである。
【０００９】
図１に示すように、ポンプ井戸Ａに配設した中間フロア２４に中間ソールプレート２５が据付けてある。この実施例では、中間ソールプレート２５は設計値のレベルよりも５ｍｍ低く設置してあるが、このレベル値は適宜変更できるものである。図２は中間揚水管８と中間ソールプレート２５の拡大図であって、中間揚水管８の上端部に外周方向に突出させたフランジ部８ａが形成してあり、ポンプ井戸Ａに設置した立軸斜流ポンプ１は上部揚水管４に支架されて、中間揚水管８のフランジ部８ａの底面と中間ソールプレート２５の上面の間に５ｍｍの間隙ができている。中間フロア２４に荷重とスラスト荷重が掛かることがない。中間揚水管８のフランジ部８ａは中間ソールプレート２５に載置して、中間揚水管８を中間フロア２４に吊設できるようにしてある。
【００１０】
図２に示すように、中間揚水管８のフランジ部８ａの下側に円環部８ｂが突設してあり、円環部８ｂの周面溝にシールリング２６が嵌入してある。中間揚水管８の円環部８ｂが中間ソールプレート２５の内周面に挿入しており、シールリング２６を中間ソールプレート２５に摺接してある。中間フロア２４には荷重が掛からず、シールリング２６が振動を吸収して、中間フロア２４を利用したポンプラジアル方向の振動が抑制できる。そして、シールリング２６の水封作用により、ポンプ井戸Ａの浸水が防止され、ポンプの上部フロア２の上部軸受けなどの浸水の危険がなく、メンテナンス性が向上する。
【００１１】
次ぎに、立軸斜流ポンプ１の据付方法を説明する。図３は中間フロア２４に仮置した立軸斜流ポンプ１のポンプ下部の縦断面図であって、ポンプ井戸Ａの地上部で、羽根車２０と案内羽根２２を配設した吸込ベル１９と吐出ボール２１等を組立て、順次、下部揚水管１１、下部軸受支え１０、揚水管９を連結し、更に、上方の主軸１４を内接した中間揚水管９まで連結し、立軸斜流ポンプ１のポンプ下部２７を組み立てる。このポンプ下部２７を、図４に示すクレーン２８で吊上げて、中間揚水管８のフランジ部８ａを中間フロア２４に据付けた中間ソールプレート２５に載置して、ポンプ下部２７を中間ソールプレート２５に仮置する。
【００１２】
図４は上部揚水管７を吊下ろす状態を示す縦断面図であって、中間ソールプレート２５に仮置したポンプ下部２７の中間揚水管８から突設した主軸１４に、中間軸継手１７を介して主軸１３を連結して立設する。中間揚水管８の上部に揚水管７をクレーン２８で吊下ろし、その上部に中間軸受支え６を連結して、同時に垂設した主軸１３を軸支する。次ぎに、主軸１３に中間軸継手１６を介して主軸１２を連結し、上部フロア２から突出させる。中間フロア２４に仮受けが可能なため、立軸斜流ポンプ１の組立てが容易となり、オーバーホールのための分解も容易となる。立軸斜流ポンプ１の構成部品を吊上げるクレーン２８も小型で済むものである。ポンプ井戸Ａの地上部で上部揚水管４と揚水管５を連結して、図５に示すように、クレーン２８でポンプ井戸Ａの上部フロア２に吊下ろす。  図６（イ）に示すように、上部揚水管４に連結して垂下した揚水管５と、ポンプ下部２７から立設した中間軸受支え８の間には５ｍｍの隙間ができており、揚水管５と中間軸受支え６をボルトとナットで仮止めする。この時、図６（ロ）に示すように、ポンプ下部２７から順次連結して立設した中間揚水管８のフランジ部８ａと中間ソールプレート２５の間隙は０ｍｍである。
【００１３】
図５に示す状態で、上部フロア２の上部ソールプレート３に載置した上部揚水管４をボルト固定して、立軸斜流ポンプ１を上部フロア２に据付ける。次ぎに、図７（イ）に示すように、仮止めしてある上部揚水管４に連結した揚水管５と中間軸受支え６を締付けて、その間隙をなくすると、図７（ロ）に示すように、締結力により、ポンプ下部２７が吊上げられ、ポンプ下部２７に連結してある中間揚水管８のフランジ部８ａと中間フロア２４に据付けた中間ソールプレート２５の間に５ｍｍの間隙が形成され、中間フロア２４にはポンプ荷重が掛からなくなる。立軸斜流ポンプ１の組立時の荷重しか中間フロア２４に掛からないため、スラスト荷重も掛かることがなく、中間フロア２４の強度が小さくて良い。中間フロア２４の厚み寸法を押さえることが、建屋のコストダウンとなる。吐出しエルボ２３を上部揚水管４に取付けて、吐出しエルボ２３から突出させた主軸１２に軸受箱部３０を組立て、カップリング２９の上面を確認して、立軸斜流ポンプ１の据付が完了する。立軸斜流ポンプ１の設置後に中間フロア２４に荷重が掛かることがなく、中間フロア２４のシビアな寸法精度を必要としない。現実に発生するポンプ荷重および運転荷重による中間フロア２４が撓むことがなく、ポンプ破損の原因となることがない。
【００１４】
【発明の効果】
この発明は上記のように構成してあり、立軸ポンプの据付と分解が容易で、防振とシールが可能となり、設置のためのクレーンも小型となるものである。即ち、従来の立軸方向の寸法が長い立軸ポンプにあっては、中間部保持装置の構造が複雑となり、ポンプ井戸への設置が困難で、非常時の立軸ポンプの地上への引上げも困難であった。そして、立軸ポンプの設置と取り外しに大型クレーンが必要であった。この発明にあっては、中間フロアに据付けた中間ソールプレートのレベル値を標準値より若干低く設定し、中間ソールプレートに摺接支持させる中間揚水管のフランジ部を中間フロアから僅かに浮き上がらせて、立軸ポンプをポンプ井等に設置したので、ポンプ組立時の荷重しか中間フロアに掛からないため、スラスト荷重も掛かることがなく、中間フロアの強度が小さくて良く、建屋のコストダウンとなる。中間フロアに仮受けが可能なため、立軸ポンプの組立てが容易となり、オーバーホールのための分解も容易となる。立軸ポンプの構成部品を吊上げるクレーンも小型で済むものである。そして、中間フロアを利用して、揚水管のフランジ部の円環部に嵌着したシールリングがポンプラジアル方向の振動を抑制する。また、中間ソールプレートを二つ割りとすれば、上部フロアの開口からの吊り降ろしが容易となり、重量も軽減されて、中間フロアへの設置が簡単となる。
【００１５】
立軸ポンプの据付方法が、ポンプ井戸等の中間フロアに据付けた中間ソールプレートのレベル値を標準値より若干低く設定し、ポンプ下部の中間揚水管のフランジ部を中間ソールプレートに仮置きして、中間揚水管の上端部に揚水管と主軸及び中間軸受支えを順次組み付けた後、揚水管を連結した上部揚水管を上部フロアに支架すると共に、ポンプ下部から立設した中間軸受支えと上部揚水管から垂下した揚水管を螺着して、締付力によりポンプ下部の上端部を中間フロアの中間ソールプレートから僅かに浮き上がらせて、立軸ポンプをポンプ井等に設置するもので、設置後に中間フロアに荷重が掛かることがなく、シビアな寸法精度を必要としない。発生するポンプ荷重および運転荷重による中間フロアが撓むことがなく、ポンプ破損の原因となることがない。
【図面の簡単な説明】
【図１】この発明に係るポンプ井戸Ａに設置した立軸斜流ポンプの縦断面図である。
【図２】同じく、中間ソールプレートに仮置きする中間揚水管の拡大図である。
【図３】同じく、中間フロアに仮置きしたポンプ下部の縦断面図である。
【図４】同じく、仮置したポンプ下部に揚水管などの組付けて、上部揚水管を吊下げる状態を示す縦断面図である。
【図５】同じく、中間フロアに仮置したポンプ下部と上部フロアに支架した上部揚水管の組立て状況を示す縦断面図である。
【図６】（イ）は、図５の、ポンプ下部から立設した中間軸受支えと、上部揚水管から垂下した揚水管の螺着前の隙間状態を示す要部拡大図である。
（ロ）は、図５の、中間フロアに仮置した中間揚水管の仮置き状態を示す要部拡大図である。
【図７】（イ）は、図５の、ポンプ下部から立設した中間軸受支えと、上部揚水管から垂下した揚水管の螺着して締付けた状態を示す要部拡大図である。
（ロ）は、図５の、螺着して吊上げられたポンプ下部の中間揚水管の隙間状態を示す要部拡大図である。
【符号の説明】
１  立軸斜流ポンプ
２  上部フロア
４  上部揚水管
５、７、９  揚水管
６  中間軸受支え
８  中間揚水管
８ａ  フランジ部
８ｂ  円環部
１１  下部揚水管
１２、１３、１４、１５  主軸
２０  羽根車
２４  中間フロア
２５  中間ソールプレート
２６  シールリング
２７  ポンプ下部
Ａ  ポンプ井戸
【図１】
2004324482.tif 000003
【図２】
2004324482.tif 000004
【図３】
2004324482.tif 000005
【図４】
2004324482.tif 000006
【図５】
2004324482.tif 000007
【図６】
2004324482.tif 000008
【図７】
2004324482.tif 000009